(57)【特許請求の範囲】
【請求項１】
色信号の副搬送波成分が輝度信号に残留しているか否かを、上記輝度信号を用いて検出する検出手段と、
上記輝度信号から上記副搬送波成分を除去するフィルタと、
上記検出手段で上記副搬送波成分が残留していると検出されていないときは上記輝度信号を選択し、上記検出手段で上記副搬送波成分が残留していると検出されたときは、上記フィルタで上記副搬送波成分を除去した輝度信号を選択する信号選択手段を有し、
上記色信号および上記信号選択手段で選択された輝度信号とから映像信号を生成する
ことを特徴とするカラーエンコーダ。
【発明の詳細な説明】
【０００１】
【発明の属する技術分野】
この発明はカラーエンコーダに関する。詳しくは、輝度信号に残留した色信号の副搬送波成分をフィルタで除去し、この輝度信号と色信号から映像信号を生成するものである。
【０００２】
【従来の技術】
従来、映像信号を記録媒体に記録する場合、例えばビデオテープレコーダ等では輝度信号と色信号が分離されてから磁気テープに記録処理される。また映像信号をディジタルの映像信号に変換し圧縮して記録する場合、例えば圧縮方式としてＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）を用いて映像信号を記録する場合、映像信号からディジタルの輝度信号と色差信号等が生成されて、これらの信号が圧縮処理されて記録される。
【０００３】
【発明が解決しようとする課題】
ところで、映像信号から輝度信号を得る場合に、輝度信号の分離が完全に行われないと、輝度信号に色信号の副搬送波成分が残留した状態で記録が行われる。
【０００４】
この色信号の副搬送波成分が残留した輝度信号を記録した記録媒体を再生すると、再生された輝度信号と色信号をエンコード処理したときに、色信号の信号レベルが輝度信号に残留する色信号の副搬送波成分によって変動されてしまう。例えば、色信号の副搬送波の位相と輝度信号に残留する色信号の副搬送波の位相が等しいものとされると、輝度信号に残留する色信号の副搬送波の成分が色信号の副搬送波に加算されて色信号の信号レベルが大きくされる。また、位相差が１８０度のときには、輝度信号に残留する色信号の副搬送波の成分が色信号の副搬送波から減算されて色信号の信号レベルが小さくされる。
【０００５】
このため、例えば記録媒体に記録された所定のフレームの映像信号再生する場合、色信号の副搬送波の位相はフレーム毎に１８０度異なるものであるのに対して、輝度信号に残留する色信号の副搬送波の位相は記録媒体に記録された所定のフレームを再生したものであることから一定であるので、フレーム毎に色信号の信号レベルが残留する色信号によって変動されて、ＮＴＳＣ方式の映像信号である場合には略３０Ｈｚの色信号のフリッカーが再生画面上に現れてしまう。
【０００６】
そこで、この発明では輝度信号に色信号の副搬送波成分が残留していても、良好な表示画像を得ることができる映像信号を生成するカラーエンコーダを提供するものである。
【０００７】
【課題を解決するための手段】
この発明に係るカラーエンコーダは、色信号の副搬送波成分が輝度信号に残留しているか否かを、この輝度信号を用いて検出する検出手段と、輝度信号から副搬送波成分を除去するフィルタと、検出手段で副搬送波成分が残留していると検出されていないときは輝度信号を選択し、検出手段で副搬送波成分が残留していると検出されたときは、フィルタで副搬送波成分を除去した輝度信号を選択する信号選択手段を有し、色信号および信号選択手段で選択された輝度信号とから映像信号を生成するものである。
【００１０】
この発明においては、検出手段によって色信号の副搬送波成分が輝度信号に残留していると検出されたとき、輝度信号から副搬送波成分がフィルタによって除去されて、副搬送波成分が除去された輝度信号と、色信号とから映像信号が生成される。また、検出手段によって色信号の副搬送波成分が輝度信号に残留していると検出されないとき、フィルタ処理されていない輝度信号と、色信号とから映像信号が生成される。
【００１１】
【発明の実施の形態】
続いてこの発明に係るカラーエンコーダの発明の実施の一形態について図を参照して詳細に説明する。なお、この発明の実施の一形態では、カラーエンコーダを記録媒体再生装置、例えば光ディスクにＭＰＥＧ方式で圧縮されて記録されている信号を再生できるディスク装置に用いた場合について説明する。
【００１２】
図１はディスク装置の構成を示している。この図１において、ディスク装置に装着された光ディスク１１は、スピンドルモータ１２によって所定の速度で回転される。またスピンドルモータ１２は、後述する駆動部１５から供給されたモータ駆動信号ＳＰＤによって駆動される。
【００１３】
光ヘッド部１３は、レーザダイオード、レーザ駆動電流を所定のレベルに保つためのＡＰＣ（Ａｕｔｏ  Ｐｏｗｅｒ  Ｃｏｎｔｒｏｌ）回路、ビームスプリッタ、対物レンズ、対物レンズを駆動するトラッキングやフォーカス用のアクチュエータ、光検出器等から構成されており、駆動部１５から供給されたレーザ駆動信号ＬＤに基づいて光ヘッド部１３のレーザダイオードが駆動されて、レーザビームが光ディスク１１に照射される。また、駆動部１５から出力されたトラッキング駆動信号ＴＤおよびフォーカス駆動信号ＦＤが光ヘッド部１３のトラッキングやフォーカス用のアクチュエータに供給されて、レーザビームの焦点を結ぶ位置が光ディスク１１の記録面の位置となるように対物レンズが駆動される。さらに光ディスク１１からの反射光が光検出器に照射されて、反射光に基づき光電変換信号ＲＦが生成されてＲＦアンプ部１４に供給される。
【００１４】
ＲＦアンプ部１４では、光電変換信号ＲＦに基づいて光ディスクに記録された信号が再生されると共に、再生された信号の波形整形や再生された信号に同期する同期信号が生成されて、この同期信号を用いてパルスの弁別等が行われて読出信号ＲＤが生成される。この読出信号ＲＤは、読出信号処理部１６に供給される。また、光電変換信号ＲＦに基づきトラッキング方向の偏差を示すトラッキング誤差信号ＴＥとフォーカス方向の偏差を示すフォーカス誤差信号ＦＥ等が生成されて駆動部１５に供給される。なお、ＲＦアンプ部１４の動作は、後述する駆動制御部４１からの駆動制御信号ＣＳに基づいて制御される。
【００１５】
駆動部１５では、トラッキング誤差信号ＴＥとフォーカス誤差信号ＦＥ、および後述する駆動制御部４１から供給された駆動制御信号ＣＳに基づいて、トラッキング駆動信号ＴＤとフォーカス駆動信号ＦＤが生成される。トラッキング駆動信号ＴＤとフォーカス駆動信号ＦＤは上述したように光ヘッド部１３に供給される。
【００１６】
読出信号処理部１６では、読出信号ＲＤからクロック信号が再生されると共に、このクロック信号に基づいて復調処理やエラー訂正処理が行われて多重ストリームが生成される。例えばＥＦＭｐｌｕｓ等の復調処理が行われ、ＲＳ−ＰＣ（Ｒｅｅｄ  Ｓｏｌｏｍｏｎ  Ｐｒｏｄｕｃｔ  Ｃｏｄｅ）方式等のエラー訂正処理が行われる。この読出信号処理部１６で得られた多重ストリームＭＳはデマルチプレクサ１７に供給される。
【００１７】
デマルチプレクサ１７では、多重ストリームＭＳからビデオストリームＶＳとオーディオストリームＡＳが分離される。このビデオストリームＶＳはビデオデコーダ２０に供給されると共に、オーディオストリームＡＳはオーディオデコーダ３０に供給される。
【００１８】
ここで、読出信号処理部１６と後述するシステムコントロール部４０との通信によって、多重ストリームＭＳがコンポジットのビデオ信号を形成するストリームであることが判別されると、ビデオデコーダ２０でビデオストリームＶＳが復号化されると共に得られたディジタルのビデオ信号ＶＤがエンコーダ部２１に供給されてディジタルのコンポジットビデオ信号ＣＶＤが生成される。このコンポジットビデオ信号ＣＶＤは、Ｄ／Ａ変換部２２でアナログのコンポジットビデオ信号ＳＶとされてアンプ２３を介して映像信号出力端子２４から出力される。
【００１９】
オーディオデコーダ３０では、オーディオストリームＡＳが復号化されてディジタルのオーディオ信号ＡＤとされる。このオーディオ信号ＡＤは、Ｄ／Ａ変換部３１でアナログのオーディオ信号ＳＡとされてアンプ３２を介して音声信号出力端子３３から出力される。
【００２０】
モードコントロール部４２は、このディスク装置の動作を切り換えるために操作される部分であり、システムコントロール部４０との通信信号ＰＣによって、モードコントロール部４２の操作がシステムコントロール部４０で判別される。
【００２１】
システムコントロール部４０では、通信信号ＰＣに基づき光ディスク１１や光ヘッド部１３等を駆動するための制御信号ＳＡが生成されて駆動制御部４１に供給される。駆動制御部４１では制御信号ＳＡに基づき駆動制御信号ＣＳが生成されて、上述したようにＲＦアンプ部１４や駆動部１５の動作が制御される。またＲＦアンプ部１４や駆動部１５の動作状態を示す信号ＢＡが駆動制御部４１を介してシステムコントロール部４０に供給されて、動作状態がシステムコントロール部４０で判別される。
【００２２】
また、システムコントロール部４０では、通信信号ＰＣおよび読出信号処理部１６やデマルチプレクサ１７、ビデオデコーダ２０、オーディオデコーダ３０等との通信信号ＳＢ等によって、読出信号処理部１６やデマルチプレクサ１７、ビデオデコーダ２０、オーディオデコーダ３０の動作の制御が行われる。さらに、多重ストリームＭＳがコンポジットのビデオ信号を形成するストリームであることが判別されると、判別信号ＣＤがエンコーダ部２１に供給される。例えば多重ストリームＭＳがＭＰＥＧ２の階層化されたビット・ストリームであるとき、ビット・ストリームのシーケンス層において「Ｓｅｑｕｅｎｃｅ  Ｄｉｓｐｌａｙ  Ｅｘｔｅｎｓｉｏｎ」の「Ｖｉｄｅｏ  Ｆｏｒｍａｔ」のデータによって多重ストリームＭＳがコンポジットのビデオ信号を形成するストリームであるか否かが判別されて、コンポジットのビデオ信号を形成するストリームであることが判別されると判別信号ＣＤの信号レベルがハイレベル「Ｈ」とされる。
【００２３】
クロック発生部４３では、クロック信号ＣＬＫが生成されてビデオデコーダ２０やエンコーダ部２１、Ｄ／Ａ変換部２２、オーディオデコーダ３０、Ｄ／Ａ変換部３１等に供給される。ビデオデコーダ２０やエンコーダ部２１、Ｄ／Ａ変換部２２、オーディオデコーダ３０、Ｄ／Ａ変換部３１等では、このクロック信号ＣＬＫに基づいて動作が行われる。
【００２４】
次にエンコーダ部２１の構成について図２を使用して説明する。ビデオデコーダ２０からのディジタルのビデオ信号ＶＤはデマルチプレクサ５１に供給される。デマルチプレクサ５１では、ビデオ信号ＶＤからディジタルの輝度信号Ｙと色差信号Ｃｒ，Ｃｂが分離される。輝度信号Ｙは遅延部５２と残留副搬送波検出部５３に供給されと共に、色差信号Ｃｒ，Ｃｂは変調部５９に供給される。
【００２５】
遅延部５２では、後述する変調部５９で色差信号Ｃｒ，Ｃｂの変調処理に要する時間に対応させて輝度信号Ｙが遅延される。この遅延された輝度信号Ｙである輝度信号ＹＤは、副搬送波除去フィルタ５４と遅延部５５に供給される。
【００２６】
副搬送波除去フィルタ５４では、輝度信号ＹＤから色信号の副搬送波成分が除去される。この副搬送波成分が除去された輝度信号ＹＤである輝度信号ＹＤＡは、信号選択部５６の端子５６ａに供給される。
【００２７】
遅延部５５では、副搬送波除去フィルタ５４での処理に要する時間に対応させて輝度信号ＹＤが遅延される。この遅延された輝度信号ＹＤである輝度信号ＹＤＢは、信号選択部５６の端子５６ｂに供給される。
【００２８】
信号選択部５６の可動端子５６ｃは同期信号加算部５７に接続されており、後述するＡＮＤゲート５８からの制御信号ＣＹに基づいて、可動端子５６ｃが端子５６ａ側あるいは端子５６ｂ側とされて輝度信号ＹＤＡ，ＹＤＢのいずれかが選択されて同期信号加算部５７に供給される。
【００２９】
次に、残留副搬送波検出部５３では、輝度信号Ｙに色信号の副搬送波成分が含まれているか否かが判別されて、判別結果を示す判別信号ＳＤがＡＮＤゲート５８に供給される。
【００３０】
ＡＮＤゲート５８にはシステムコントロール部４０から判別信号ＣＤが供給されており、この判別信号ＣＤと残留副搬送波検出部５３からの判別信号ＳＤとの論理積信号である制御信号ＣＹが生成されて信号選択部５６に供給される。
【００３１】
タイミング信号発生部６０では、クロック信号発生部４３から供給されたクロック信号ＣＬＫに基づきタイミング信号ＴＰが生成されて同期信号加算部５７に供給される。またクロック信号ＣＫに基づき、色信号の副搬送波の４倍の周波数のクロック信号ＣＫＳが生成されて変調部５９に供給される。
【００３２】
同期信号加算部５７では、タイミング信号ＴＰに基づき信号選択部５６で選択された輝度信号ＹＤＡ、あるいは輝度信号ＹＤＢに同期信号が加算されて輝度信号ＹＳが生成される。この輝度信号ＹＳは加算部６２に供給される。
【００３３】
変調部５９ではクロック信号ＣＫＳに基づき色差信号Ｃｒ，Ｃｂが変調されて色信号Ｃが生成される。この色信号Ｃは帯域フィルタ６１を介して加算部６２に供給される。
【００３４】
加算部６２では、輝度信号ＹＳと色信号Ｃが加算されてコンポジット信号ＣＶＤが生成される。
【００３５】
次に、エンコーダ部２１の動作について説明する。デマルチプレクサ５１で得られた輝度信号Ｙは、遅延部５２，５５で遅延されて信号選択部５６の端子５６ｂに供給されると共に、遅延部５２で遅延されて副搬送波除去フィルタ５４で色信号の副搬送波成分が除去されて信号選択部５６の端子５６ａに供給される。
【００３６】
ここで、残留副搬送波検出部５３で輝度信号Ｙに色信号の副搬送波成分が含まれていることが検出されたときには、判別信号ＳＤの信号レベルがハイレベル「Ｈ」とされる。また、多重ストリームＭＳがコンポジットのビデオ信号を形成するストリームであることがシステムコントロール部４０で判別されると判別信号ＣＤの信号レベルがハイレベル「Ｈ」とされる。このとき、ＡＮＤゲート５８から出力される制御信号ＣＹの信号レベルはハイレベル「Ｈ」とされて、信号選択部５６の可動端子５６ｃは、端子５６ａ側とされる。このため、色信号の副搬送波成分が除去された輝度信号ＹＤＡが同期信号加算部５７に供給されて、同期信号が加算されると共に、加算部６２で色信号Ｃが加算されてコンポジットのビデオ信号ＣＶＤが生成される。
【００３７】
このように、エンコーダ部２１では、多重ストリームＭＳがコンポジットのビデオ信号を形成するストリームであると共に、残留副搬送波検出部５３で輝度信号Ｙに色信号の副搬送波成分が含まれていることが検出された場合に、この副搬送波成分が除去された輝度信号ＹＤＡを用いてビデオ信号ＣＶＤが生成されるので、このビデオ信号ＣＶＤに基づく再生画像は、副搬送波成分による色フリッカー等を生ずることがない。また、多重ストリームＭＳがコンポジットのビデオ信号を形成するストリームでないときや、残留副搬送波検出部５３で色信号の副搬送波成分が検出されないときには、信号選択部５６の可動端子５６ｃが端子５６ａ側とされるので、輝度信号から副搬送波の周波数とほぼ等しい周波数の信号が除去されて解像度が低下することを防止することができる。
【００３８】
このように上述の実施の形態によれば、輝度信号に色信号の副搬送波成分が含まれていても、この副搬送波成分が除去されてエンコード処理が行われるので、色信号の信号レベルが変動されることがなく、色フリッカーのない良好な再生画像を得ることができる。
【００３９】
また、輝度信号に色信号の副搬送波成分が含まれていない場合やコンポジット信号でないときには、この副搬送波とほぼ等しい周波数の信号が除去されないので、再生画像の解像度の低下を防止することができる。
【００４０】
なお、上述の実施の形態では、ディスク装置にカラーエンコーダを用いるものとしたが、輝度信号と色信号から映像信号を得るものであれば、ディスク装置や他の記録媒体再生装置に限られるものではないことは勿論である。
【００４１】
【発明の効果】
この発明によれば、色信号の副搬送波成分が輝度信号に残留しているか否かを、この輝度信号を用いて検出する検出手段と、輝度信号から副搬送波成分を除去するフィルタと、検出手段で副搬送波成分が残留していると検出されていないときは輝度信号を選択し、検出手段で副搬送波成分が残留していると検出されたときは、フィルタで副搬送波成分を除去した輝度信号を選択する信号選択手段を有し、色信号および信号選択手段で選択された輝度信号とから映像信号が生成される。
【００４２】
このため、色信号の副搬送波成分が輝度信号に残留していても、この副搬送波成分がフィルタで除去されるので色信号の信号レベルが変動されることがなく、色フリッカーのない良好な再生画像を得ることができる。また、色信号の副搬送波成分が輝度信号に残留していないときには、フィルタ処理されていない輝度信号が用いられるため、この副搬送波の周波数とほぼ等しい周波数の信号が輝度信号から除去されないので、再生画像の解像度の低下を防止することができる。
【図面の簡単な説明】
【図１】この発明に係るカラーエンコーダを用いたディスク装置の構成を示す図である。
【図２】エンコーダ部２１の構成を示す図である。
【符号の説明】
１１・・・光ディスク、１６・・・読出信号処理部、１７，５１・・・デマルチプレクサ、２０・・・ビデオデコーダ、２１・・・エンコーダ部、３０・・・オーディオデコーダ、４０・・・システムコントロール部、４３・・・クロック信号発生部、５２，５５・・・遅延部、５３・・・残留副搬送波検出部、５４・・・副搬送波除去フィルタ、５６・・・信号選択部、５７・・・同期信号加算部、５８・・・ＡＮＤゲート、５９・・・変調部、６０・・・タイミング信号発生部、６２・・・加算部
【図１】
0003612840.tif 000002
【図２】
0003612840.tif 000003